(57)【要約】【課題】走行中におけるハンドル操作を行っている際のスイッチ操作性を向上することができる自動二輪車のハンドルスイッチを提供する。【解決手段】前輪を操向するハンドルバー１３と、ハンドルバー１３の一端に装着されたスロットルグリップ１５と、スロットルグリップ１５に隣接した位置でハンドルバー１３に装着されたスイッチボックス１７と、スイッチボックス１７に設けられた複数の各種スイッチ２１〜２３と、スイッチボックス１７の下部に運転者の右手親指で操作可能な走行特性切替スイッチ２４と、を備えている。【選択図】      図２
2010173393.tif 000002
【特許請求の範囲】
【請求項１】
前輪を操向するハンドルバーと、該ハンドルバーの一端に装着されたスロットルグリップと、該スロットルグリップに隣接した位置で前記ハンドルバーに装着されたスイッチボックスと、該スイッチボックスに設けられた複数の各種スイッチと、を備えた自動二輪車のハンドルスイッチにおいて、
前記スイッチボックスの下部に運転者の右手親指で操作可能な走行特性切替スイッチを設けたことを特徴とする自動二輪車のハンドルスイッチ。
【請求項２】
前記走行特性切替スイッチは、前記スロットルグリップの回動中心よりも下方に配置されていることを特徴とする請求項１に記載の自動二輪車のハンドルスイッチ。
【請求項３】
前記走行特性切替スイッチは、エンジン出力が高出力側となる状態へとモード切替するためのスイッチであることを特徴とする請求項２に記載の自動二輪車のハンドルスイッチ。
【請求項４】
前記走行特性切替スイッチは、トランスミッションの変速比が低速側となる状態へとモード切替するためのスイッチであることを特徴とする請求項２に記載の自動二輪車のハンドルスイッチ。
【請求項５】
前記走行特性切替スイッチは、前記スイッチボックスの外側面から車幅方向外側に突出していることを特徴とする請求項３又は請求項４に記載の自動二輪車のハンドルスイッチ。
【請求項６】
前記走行特性切替スイッチは、操作入力を受けていないオフ状態へと常時付勢する自動復帰機構を備えていることを特徴とする請求項５に記載の自動二輪車のハンドルスイッチ。
【発明の詳細な説明】
【技術分野】
【０００１】
本発明は、走行中にハンドル操作を行っている際のスイッチ操作性を向上することができる自動二輪車のハンドルスイッチに関する。
【背景技術】
【０００２】
従来、自動二輪車のハンドルバー付近には、様々なスイッチが配置されており、走行中におけるスイッチ操作によって、所望の動作等を得るようにしている。
【０００３】
一方、近年のオートマチック方式の変速装置を備えた自動二輪車にあっても、例えば、電子制御ＣＶＴ（Ｃｏｎｔｉｎｕｏｕｓｌｙ
Ｖａｒｉａｂｌｅ Ｔｒａｎｓｍｉｓｓｉｏｎ）を有する自動二輪車のように、低回転域のエンジン回転数を使用するように設定して静粛性と燃費向上を目的としたエコノミーモードと、高回転域のエンジン回転数を使用するように設定して高負荷時の走行や瞬間的な加速性能の向上を目的としたパワーモードと、を切り替える運転モード切替スイッチ（走行特性切替スイッチ）のように、複数の運転モードを有するものがある。
【０００４】
このような運転モード切替スイッチは、通常走行時にはエコノミーモードを使用するが、例えば、追い越しをスムーズに行うために瞬間的にパワーモードを使用するといった使い分けを行う。
【０００５】
また、このような運転モード切替スイッチを、車体右側のスロットルグリップを備えたハンドルバー付近に設置されたハンドルスイッチに配置したものが知られている（例えば、特許文献１参照）。
【０００６】
この際、特許文献１では、自動変速モードと手動変速モードとに切り替える押しボタン方式の運転モード切替スイッチは、車体右側のハンドルグリップを右手で掴んだ状態で人差し指で運転者が操作するように、車体前側上面、即ち、ハンドルバーの中心よりも上方に配置されている。
【先行技術文献】
【特許文献】
【０００７】
【特許文献１】特開２００５−１２１０５９号公報
【発明の概要】
【発明が解決しようとする課題】
【０００８】
ところが、上記の如く構成された自動二輪車のハンドルスイッチにあっては、車体右側のシフトレバーが配置されたハンドルバーの中心よりも車体前側上面に配置された押しボタン方式のシフトスイッチでは、例えば、運転者が加速のためのスロットル操作を行う際に、電子制御ＣＶＴをエコノミーモードからパワーモードへと切り替えようとしても、右手人指し指は、スロットル操作に連動して押しボタン方式のシフトスイッチから離間してしまい、切替操作を行い難いといったように、スロットル操作とスイッチ操作とを連動して行うことが困難であるという問題が生じていた。
【０００９】
そこで、本発明は、上記事情を考慮し、走行中におけるハンドル操作を行っている際のスイッチ操作性を向上することができる自動二輪車のハンドルスイッチを提供することを目的とする。
【課題を解決するための手段】
【００１０】
本発明の自動二輪車のハンドルスイッチは、前輪を操向するハンドルバーと、該ハンドルバーの一端に装着されたスロットルグリップと、該スロットルグリップに隣接した位置で前記ハンドルバーに装着されたスイッチボックスと、該スイッチボックスに設けられた複数の各種スイッチと、を備えた自動二輪車のハンドルスイッチにおいて、前記スイッチボックスの下部に運転者の右手親指で操作可能な走行特性切替スイッチを設けたことを特徴とする。
【００１１】
本発明の自動二輪車のハンドルスイッチによれば、走行特性切替スイッチを操作する際に運転者の右手親指を大きく動かさずにスイッチ操作を行うことができ、ハンドル操作性を損なうこと無くスイッチ操作を行うことができる。また、スロットルグリップの加速操作の際に、そのグリップ操作と連動して走行特性切替スイッチを同時に操作することができるため、操作時間の短縮化を実現することができる。
【００１２】
請求項２に記載の自動二輪車のハンドルスイッチは、前記走行特性切替スイッチは、前記スロットルグリップの回動中心よりも下方に配置されていることを特徴とする。
【００１３】
請求項２に記載の自動二輪車のハンドルスイッチによれば、スロットルグリップを把持するときの右手親指はスロットルグリップの回動中心よりも下方に位置するため、そのスロットルグリップの回動中心よりも下方に配置された走行特性切替スイッチのスイッチ操作を動作量の少ない右手親指で行うことができる。
【００１４】
この際、走行特性（例えば、運転モード・変速モード・変速比等）の切替操作の間も右手親指の根本部分はスロットルグリップを覆う位置に常に置かれるので、前後方向への乗員の体重移動を抑制することができ、車体安定性を確保することができる。
【００１５】
請求項３に記載の自動二輪車のハンドルスイッチは、前記走行特性切替スイッチは、エンジン出力が高出力側となる状態へとモード切替するためのスイッチであることを特徴とする。
【００１６】
請求項３に記載の自動二輪車のハンドルスイッチによれば、乗員が迅速な加速を要求する際、加速操作と併せて高出力側への走行特性の切り替えを実現できるため、加速性能に優れた走行特性への切り替えを敏速に行うことができ、スムーズな加速が可能となる。
【００１７】
請求項４に記載の自動二輪車のハンドルスイッチは、前記走行特性切替スイッチは、トランスミッションの変速比が低速側となる状態へとモード切替するためのスイッチであることを特徴とする。
【００１８】
請求項４に記載の自動二輪車のハンドルスイッチによれば、乗員が迅速な加速を要求する際、加速操作と併せてトルク重視の低速側となる状態への切り替えを実現できるため、加速性能に優れた走行特性への切り替えを敏速に行うことができ、スムーズな加速が可能となる。
【００１９】
請求項５に記載の自動二輪車のハンドルスイッチは、前記走行特性切替スイッチは、前記スイッチボックスの外側面から車幅方向外側に突出していることを特徴とする。
【００２０】
請求項５に記載の自動二輪車のハンドルスイッチによれば、右手親指を車幅方向に大きく移動させること無くスイッチ操作を行うことができ、スイッチ操作時間の短縮化を実現し得て、しかも周辺の他のスイッチとの誤操作を防止することができる。
【００２１】
請求項６に記載の自動二輪車のハンドルスイッチは、前記走行特性切替スイッチは、スイッチ操作入力を受けていないオフ状態へと常時付勢する自動復帰機構を備えていることを特徴とする。
【００２２】
請求項６に記載の自動二輪車のハンドルスイッチによれば、スイッチ操作後の各スイッチをオフ状態へと手動復帰させる必要が無くなり、ハンドル操作性を損なうこと無くスイッチ操作を行うことができる。
【発明の効果】
【００２３】
本発明の自動二輪車のハンドルスイッチは、走行中におけるハンドル操作を行っている際のスイッチ操作性を向上することができる。
【図面の簡単な説明】
【００２４】
【図１】本発明の一実施形態に係るハンドルスイッチを備えた自動二輪車の平面図である。
【図２】（Ａ）は本発明の一実施形態に係る自動二輪車のハンドルスイッチの背面図、（Ｂ）は本発明の一実施形態に係る自動二輪車のハンドルスイッチの側面図である。
【図３】（Ａ）は本発明の一実施形態に係る自動二輪車のハンドルスイッチにおける走行特性切替スイッチ操作前の平面図、（Ｂ）は本発明の一実施形態に係る自動二輪車のハンドルスイッチにおける走行特性切替スイッチ操作後の平面図である。
【発明を実施するための形態】
【００２５】
次に、本発明の一実施形態に係る自動二輪車のハンドルスイッチについて、図面を参照して説明する。
【００２６】
図１は本発明の一実施形態に係るハンドルスイッチを備えた自動二輪車の平面図、図２（Ａ）は本発明の一実施形態に係る自動二輪車のハンドルスイッチの背面図、図２（Ｂ）は本発明の一実施形態に係る自動二輪車のハンドルスイッチの側面図、図３（Ａ）は本発明の一実施形態に係る自動二輪車のハンドルスイッチにおける走行特性切替スイッチ操作前の平面図、図３（Ｂ）は本発明の一実施形態に係る自動二輪車のハンドルスイッチにおける走行特性切替スイッチ操作後の平面図である。
【００２７】
図１に示すように、本発明の一実施形態に係る自動二輪車１１は、前輪１２を操向する左右一対のハンドルバー１３，１４と、一方（右手操作側）のハンドルバー１３の一端に装着されたスロットルグリップ（ハンドルグリップ）１５と、他方（左手操作側）のハンドルバー１４の一端に装着されたハンドルグリップ１６と、各グリップ１５，１６に隣接した位置でハンドルバー１３，１４に装着されたスイッチボックス１７，１８と、各グリップ１５，１６の車体前方に配置されたブレーキレバー１９，２０と、を備えている。
【００２８】
スロットルグリップ１５は、それを把持して手前側に回動させる（捻る）ことでスロットルバルブを開動作させることができる。
【００２９】
尚、ハンドルグリップ１６、スイッチボックス１８、ブレーキレバー１９，２０に関しては、公知の技術が採用されているため、以下の説明においては、右手操作側のスロットルグリップ１５に隣接するスイッチボックス１７に関して説明する。
【００３０】
スイッチボックス１７は、図２及び図３に示すように、基本的には、運転者側から目視可能な位置に複数のスイッチが配置されており、本実施の形態においては、スイッチボックス１７の上面寄りに配置されたキルスイッチ２１と、スイッチボックス１７の背面中央付近に配置されて車幅方向に揺動可能なハザードスイッチ２２と、スイッチボックス１７の背面下部に配置されたセルスイッチ（スタータスイッチ）２３と、スイッチボックス１７の外側面下部に配置された走行特性切替スイッチ２４と、を備えている。
【００３１】
尚、これら各種スイッチ２１〜２４は、その機能は公知のスイッチング機能を備えていると共に、そのスイッチ種類（揺動式スイッチ等）もスイッチ操作性を考慮した適宜種類のものが用いられている。また、これら各種スイッチ２１〜２４の操作は、運転者の右手親指を基本としてスイッチ操作されるものである。
【００３２】
走行特性切替スイッチ２４は、運転者の右手親指で操作可能となるように、車体前後方向に可倒式とされると共に、スイッチボックス１７の外側面下部、即ち、スロットルグリップ１５の中心よりも下方に配置され、好ましくは、スイッチボックス１７の外側面から車幅方向外側に突出している。また、走行特性切替スイッチ２４は、エンジン回転数が低回転域を使用するように設定して静粛性と燃費向上を目的としたエコノミーモードと、エンジン回転数が高回転域を使用するように設定して高負荷時の走行や瞬間的な加速性能の向上を目的としたパワーモードと、を切り替えるモード切替スイッチとして用いられている。
【００３３】
尚、走行特性切替スイッチ２４は、スイッチ操作入力を受けていないオフ状態へと常時付勢する公知のスイッチング機能における自動復帰機構（図示せず）を備えている。
【００３４】
従って、スロットルグリップ１５を把持したときに、スイッチボックス１７に近い指は右手親指となるため、この右手親指でのスイッチ操作は直感的に操作するには最適となる。
【００３５】
また、走行特性切替スイッチ２４にあっては、スロットルグリップ１５の下側で且つスロットルグリップ１５を把持する手の方向に突出するように、即ち、スイッチボックス１７の外側面下部から車幅方向外側に突出するように設置されている。
【００３６】
従って、右手親指にあっては、例えば、図３（Ａ）に示すように、スイッチ操作直前に走行特性切替スイッチ２４に右手親指を添え、図３（Ｂ）に示すように、スロットルグリップ１５のスロットル開操作に連動して走行特性切替スイッチ２４を右手親指にて車両進行方向に向かって押し出すことでスイッチ入力が可能となる。
【００３７】
これにより、スイッチ操作時に右手親指がスロットルグリップ１５よりも上方に移動することがなくなるため、ハンドル操作性を損なうこと無くスイッチ操作を行うことができる。
【００３８】
この際、走行特性切替スイッチ２４を、スイッチボックス１７の外側面下部から車幅方向外側に突出させることで、他のスイッチ、例えば、走行特性切替スイッチ２４に近接配置されたセルスイッチ２３との区別化が可能となり、誤操作を抑制することができる。
【００３９】
特に、スイッチ操作の際の右手親指の動きをスロットル開操作のためにスロットルグリップ１５を捻る方向への動きと合致させることで、走行特性切替スイッチ２４を操作したままの動きで加速時の後方への体重移動に備えた姿勢を維持することができるため、コーナー走行時等であっても、車両安定性を確保することができる。
【００４０】
この際、走行特性切替スイッチ２４を可倒式（揺動式）としたことにより、スイッチ手前側から車体前方へと右手親指を動かす動作によりスイッチ操作を行うことができ、スイッチ操作時の右手親指操作をした後で親指を手前側に戻すこと無くそのままスロットルグリップ１５の把持動作へと移行させることができ、スイッチ操作時間を大幅に短縮することができる。
【００４１】
ところで、上記実施の形態では、本発明の走行特性切替スイッチ２４を自動変速機のモード切替スイッチ（パワーモードとエコノミーモードとで切り替えるもの）として説明したが、例えば、エンジン出力特性を変更する運転モード切替スイッチ（高出力モードと、低出力モードと、該高出力モードと低出力モードの中間の出力特性を有する中間出力モードの３種類のモードを切り替えるもの）、或いは、マニュアル運転モード付き自動変速装置を備えた自動二輪車におけるマニュアル変速用シフトスイッチ等に適用することができる。
【００４２】
この際、右手親指で操作する走行特性切替スイッチ２４をパワーモード切り替えスイッチ或いはシフトダウンスイッチとして使用するのが好ましい。
【００４３】
詳しくは、運転モード切替スイッチにおいては、走行特性切替スイッチ２４を押すごとに低出力モード→中間出力モード→高出力モードへと切り替え、マニュアル変速用シフトスイッチにおいては、走行特性切替スイッチ２４を押すごとに低速側の変速段側へ１速段ずつシフトダウンするように設定する。
【００４４】
そして、高出力モード→中間出力モード→低出力モードへの切り替え、またはシフトアップ操作は別に設けたスイッチ操作により行なうのでよい。
【００４５】
このように、本発明のハンドルスイッチにあっては、ハンドルバー１３の下側にスロットルグリップ１５を把持する方向に突き出すように走行特性切替スイッチ２４を設置し、この走行特性切替スイッチ２４を車両進行方向（スロットルグリップ１５の保持時に右手親指の向く方向）に押し出すことでスイッチ入力を可能としたことにより、加速時に行いたい運転モードの変更（低出力モード→中間出力モード→高出力モード）や自動変速モードの変更（エコノミーモードからパワーモードへの切り換え）、並びに、加速のためのシフトダウン操作を、この走行特性切替スイッチ２４に割り当てることで、スイッチ入力のためだけの独自操作を殆ど行うこと無く、加速時のスイッチ入力が可能となる。
【００４６】
また、スイッチ操作のために右手親指がスロットルグリップ１５よりも上に上がることがなくなるために、スイッチ操作時におけるスロットルグリップ１５の保持状態を容易に維持することができる。
【００４７】
さらに、走行特性切替スイッチ２４をスイッチボックス１７の車幅方向に突出していることから、セルスイッチ（スタータスイッチ）２３やハザードスイッチ２２等の既存のスイッチ配列を維持したまま、走行特性切替スイッチ２４を配置することができ、スイッチ誤操作を抑制することも可能となる。
【００４８】
しかも、スロットルグリップ１５を保持した時に右手親指の向く方向をスイッチ入力方向とすることによって、スイッチ入力操作後と右手親指の元の位置への復帰動作とを同じ動作で行うことができるので、スイッチ操作のために右手親指をスロットルグリップ１５から離している時間を大幅に短縮することでき、変速操作時等における車両挙動に対する対応の迅速化を向上することができる。
【００４９】
換言すれば、本発明の走行特性切替スイッチ２４を、エコノミーモードとパワーモードとで切り替えるモード切替スイッチとして割り当てることにより、加速のためにスロットルを開くとき、右手親指をスイッチ側に少し突き出しながらスロットルを開くことにより、スムーズにパワーモードへの自動変速モードの切り替えが可能となる。
【００５０】
従って、コーナーからの立ち上がり時のように、スロットルグリップ１５操作とスロットル開操作とを同時に行うような状態であっても、そのタイミングでの走行特性切替スイッチ２４操作を容易に並立して行うことが可能となる。
【００５１】
尚、本発明の走行特性切替スイッチ２４は、上述した自動変速でなく、スイッチ入力によりエンジン出力特性を変更したり変速比を切り替える手動変速のときでも、このスイッチに運転モード切り替えやシフトダウンを行う機能を割り当てておけば、同様の効果を奏することができる。
【符号の説明】
【００５２】
１１…自動二輪車
１２…前輪
１３…ハンドルバー
１４…ハンドルバー
１５…スロットルグリップ（ハンドルグリップ）
１６…ハンドルグリップ
１７…スイッチボックス
１８…スイッチボックス
２１…キルスイッチ
２２…ハザードスイッチ
２３…セルスイッチ（スタータスイッチ）
２４…走行特性切替スイッチ
【図１】
2010173393.tif 000003
【図２】
2010173393.tif 000004
【図３】
2010173393.tif 000005